(57)【要約】【課題】  電子メール送信者の所望の名刺情報を電子メール受信者に提供する。【解決手段】  サーバ装置の名刺情報記憶手段に、第１の端末装置の利用者の顔画像データを含む名刺情報を、名刺情報の配信先を指定する配信情報と関連付けて記憶する。そしてサーバ装置は、第１の端末装置から送信された電子メールを受信した場合、電子メールの送信先によって特定される名刺情報を名刺情報記憶手段から抽出し、その名刺情報を電子メールに付加して、電子メールの送信先である第２の端末装置に送信する。【選択図】  図５
2005309892.tif 000002
【特許請求の範囲】
【請求項１】
少なくとも１つのサーバ装置と、前記サーバ装置に通信回線を介して接続され、少なくとも１つずつの第１、第２の端末装置と、を備え、
前記サーバ装置は、第１の端末装置から送信された電子メールを受信する電子メール受信手段と、
前記第１の端末装置の利用者の顔画像データを含む名刺情報を、前記名刺情報の配信先を指定する配信情報と関連付けて記憶する名刺情報記憶手段と、
前記名刺情報記憶手段から、前記電子メール受信手段が受信した前記電子メールの送信先によって特定される前記名刺情報を抽出する名刺情報抽出手段と、
前記電子メール受信手段が受信した前記電子メールに、前記名刺情報抽出手段により抽出された前記名刺情報を付加して、前記電子メールの送信先である第２の端末装置に送信する名刺付き電子メール送信手段と、を備え、
前記第１の端末装置は、
前記電子メールを入力する電子メール入力手段と、
前記電子メール入力された電子メールを前記サーバ装置に送信する電子メール送信手段と、を備え、
前記第２の端末装置は、
前記サーバ装置から、名刺情報が付加された電子メールを受信する名刺付き電子メール受信手段と、
前記名刺付き電子メール受信手段によって受信された名刺情報が付加された電子メールを表示する表示手段と、を備えたことを特徴とする名刺情報提供システム。
【請求項２】
前記表示手段は、前記名刺付き電子メール受信手段によって受信された名刺情報に含まれる顔画像データを表示するとともに、前記顔画像データに重ねて電子メールを表示することを特徴とする請求項１に記載の名刺情報提供システム。
【請求項３】
請求項１又は請求項２に記載の名刺情報提供システムであって、さらに、
前記第１の端末装置は、
前記第１の端末装置の利用者の顔画像データを含む前記名刺情報と、前記名刺情報の配信先を指定する配信情報と、を入力する名刺情報入力手段と、
前記名刺情報入力手段により入力された前記名刺情報と前記配信先情報を、前記サーバ装置に送信する名刺情報送信手段と、を備え、
前記サーバ装置は、前記第１の端末装置から送信された前記名刺情報と前記配信先情報を受信する名刺情報受信手段を備え、
前記名刺情報記憶手段は、前記名刺情報受信手段により受信された前記名刺情報と前記配信先情報を関連付けて記憶することを特徴とする名刺情報提供システム。
【請求項４】
請求項１乃至請求項３のいずれか１項に記載の名刺情報提供システムであって、
前記第１の端末装置の前記電子メール送信手段は、前記電子メール入力手段により入力された電子メールに、前記名刺情報入力手段により入力された前記名刺情報を付加して、前記サーバ装置に送信することができ、
前記サーバ装置は、前記電子メール受信手段が受信した前記電子メールに、前記名刺情報が付加されているか否かを識別する名刺情報識別手段をさらに備え、
前記名刺付き電子メール送信手段は、前記名刺情報識別手段が前記電子メールに前記名刺情報が付加されていると識別すると、前記電子メール受信手段が受信した前記電子メールに付加されている前記名刺情報を、前記電子メールの送信先である第２の携帯端末に送信することを特徴とする名刺情報提供システム。
【請求項５】
少なくとも１つずつの第１、第２の端末装置と通信回線を介して接続された、少なくとも１つのサーバ装置であって、
前記サーバ装置は、第１の端末装置から送信された電子メールを受信する電子メール受信手段と、
前記第１の端末装置の利用者の顔画像データを含む名刺情報を、前記名刺情報の配信先を指定する配信情報と関連付けて記憶する名刺情報記憶手段と、
前記名刺情報記憶手段から、前記電子メール受信手段が受信した前記電子メールの送信先によって特定される前記名刺情報を抽出する名刺情報抽出手段と、
前記電子メール受信手段が受信した前記電子メールに、前記名刺情報抽出手段により抽出された前記名刺情報を付加して、前記電子メールの送信先である第２の端末装置に送信する名刺付き電子メール送信手段と、を備えたことを特徴とするサーバ装置。
【請求項６】
請求項５に記載のサーバ装置であって、さらに、
前記第１の端末装置から送信された前記名刺情報と前記配信先情報を受信する名刺情報受信手段を備え、
前記名刺情報記憶手段は、前記名刺情報受信手段により受信された前記名刺情報と前記配信先情報を関連付けて記憶することを特徴とするサーバ装置。
【発明の詳細な説明】
【技術分野】
【０００１】
本発明は、名刺情報提供システム及びサーバ装置に係り、特に電子メールの送受信を行うことのできる名刺情報提供システム及びサーバ装置に関する。
【背景技術】
【０００２】
近年、画像を利用するアプリケーションをサーバから携帯電話機に配信するサービスが普及しつつある（例えば、特許文献１参照）。
【０００３】
特許文献１には、利用者所望の画像を用いたゲームを、利用者の携帯電話機で楽しむことが可能なゲーム提供サーバ及びゲーム提供システムが開示されている。同文献によれば、ゲーム提供サーバは、ゲームの種類の情報を利用者のパソコンに送信する。そして利用者はパソコンから、ゲームの種類を指定した情報と、その指定したゲームの素材となる画像とをゲーム提供サーバに送信する。ゲーム提供サーバは、利用者より送信された画像をゲーム用画像に変更し、そのゲーム用画像を用いたゲームを携帯電話機に配信する。これにより、携帯電話機の利用者は、所望の画像を用いたゲームを携帯電話機で実施することができる。
【特許文献１】特開２００３−１０５５３号公報
【発明の開示】
【発明が解決しようとする課題】
【０００４】
しかしながら、特許文献１に記載された技術の場合、携帯電話機利用者の所望の画像を携帯電話機のゲームに用いることはできるが、携帯電話機利用者の所望の名刺情報を携帯電話機から送信する電子メールに用いることはできない。なお本明細書における名刺情報とは、携帯電話機利用者のプロフィールを表すものとして、氏名、電話番号、電子メールアドレス等から構成されるものとする。そのため携帯電話機から送信される電子メールの名刺情報は、電子メール受信者に関わらず画一的なものとならざるを得なかった。
【０００５】
本発明は、このような事情に鑑みてなされたもので、端末装置間で電子メールを送受信する場合に、電子メール送信者の所望の名刺情報を電子メール受信者に提供することのできる名刺情報提供システム及びサーバ装置を提供することを目的とする。
【課題を解決するための手段】
【０００６】
前記目的を達成するために、請求項１に記載の発明は、少なくとも１つのサーバ装置と、前記サーバ装置に通信回線を介して接続され、少なくとも１つずつの第１、第２の端末装置と、を備え、前記サーバ装置は、第１の端末装置から送信された電子メールを受信する電子メール受信手段と、前記第１の端末装置の利用者の顔画像データを含む名刺情報を、前記名刺情報の配信先を指定する配信情報と関連付けて記憶する名刺情報記憶手段と、前記名刺情報記憶手段から、前記電子メール受信手段が受信した前記電子メールの送信先によって特定される前記名刺情報を抽出する名刺情報抽出手段と、前記電子メール受信手段が受信した前記電子メールに、前記名刺情報抽出手段により抽出された前記名刺情報を付加して、前記電子メールの送信先である第２の端末装置に送信する名刺付き電子メール送信手段と、を備え、前記第１の端末装置は、前記電子メールを入力する電子メール入力手段と、前記電子メール入力された電子メールを前記サーバ装置に送信する電子メール送信手段と、を備え、前記第２の端末装置は、前記サーバ装置から、名刺情報が付加された電子メールを受信する名刺付き電子メール受信手段と、前記名刺付き電子メール受信手段によって受信された名刺情報が付加された電子メールを表示する表示手段と、を備えたことを特徴とする名刺情報提供システムを提供する。
【０００７】
本発明によれば、第１の端末装置から第２の端末装置に対して電子メールを送信する場合に、第１の端末装置の利用者の顔画像データを含む名刺情報と、その配信先を指定する配信情報とが関連付けて記憶されている名刺情報記憶手段から、第２の端末装置の利用者に応じた名刺情報が、名刺情報抽出手段により抽出される。そして抽出された名刺情報は、電子メールに付加されて、第２の端末装置に送信される。この結果、第１の端末装置の利用者は、電子メールの送信先である第２の端末装置の利用者に応じた名刺情報を送信することができるとともに、第２の端末装置の利用者は、電子メールの送信者である第１の端末装置の名刺情報を参照することができる。すなわち、第１の端末装置の利用者は所望の名刺情報を第２の端末装置の利用者に提供することができる。これにより、電子メールの送信者と受信者との間でのコミュニケーションを活性化させることができる。
【０００８】
なお端末装置は、携帯電話機に限定されるものでなく、電子メール、画像データの送受信が可能な通信手段を備えたパソコン、ＰＤＡ等であっても本発明の目的を達成することができる。
【０００９】
請求項２に記載の発明は、請求項１に記載の名刺情報提供システムであって、前記表示手段は、前記名刺付き電子メール受信手段によって受信された名刺情報に含まれる顔画像データを表示するとともに、前記顔画像データに重ねて電子メールを表示することを特徴とする。
【００１０】
請求項２の態様によれば、名刺情報に含まれる顔画像データに重ねて電子メールを表示することにより、第１の端末装置の利用者の表情を電子メールとともに、第２の端末装置の利用者に伝えることとができる。そのため、電子メールの送信者と受信者との間でのコミュニケーションをさらに活性化させることができる。
【００１１】
請求項３に記載の発明は、請求項１又は請求項２に記載の名刺情報提供システムであって、さらに、前記第１の端末装置は、前記第１の端末装置の利用者の顔画像データを含む前記名刺情報と、前記名刺情報の配信先を指定する配信情報と、を入力する名刺情報入力手段と、前記名刺情報入力手段により入力された前記名刺情報と前記配信先情報を、前記サーバ装置に送信する名刺情報送信手段と、を備え、前記サーバ装置は、前記第１の端末装置から送信された前記名刺情報と前記配信先情報を受信する名刺情報受信手段を備え、前記名刺情報記憶手段は、前記名刺情報受信手段により受信された前記名刺情報と前記配信先情報を関連付けて記憶することを特徴とする。
【００１２】
請求項３の態様によれば、第１の端末装置から名刺情報とその配信情報を入力し、これらをサーバ装置に送信する。そしてサーバ装置は、名刺情報とその配信情報を関連付けて名刺情報記憶手段に記憶する。これにより、請求項１の態様と同様の効果を奏するとともに、第１の端末装置の利用者は、名刺情報や配信情報を適宜変更することが可能となり、第１の端末装置の利用者の所望の名刺情報を第２の端末装置の利用者に提供することができる。
【００１３】
請求項４に記載の発明は、請求項１乃至請求項３のいずれか１項に記載の名刺情報提供システムであって、前記第１の端末装置の前記電子メール送信手段は、前記電子メール入力手段により入力された電子メールに、前記名刺情報入力手段により入力された前記名刺情報を付加して、前記サーバ装置に送信することができ、前記サーバ装置は、前記電子メール受信手段が受信した前記電子メールに、前記名刺情報が付加されているか否かを識別する名刺情報識別手段をさらに備え、前記名刺付き電子メール送信手段は、前記名刺情報識別手段が前記電子メールに前記名刺情報が付加されていると識別すると、前記電子メール受信手段が受信した前記電子メールに付加されている前記名刺情報を、前記電子メールの送信先である第２の携帯端末に送信することを特徴とする。
【００１４】
請求項４の態様によれば、第１の端末装置の利用者は、サーバ装置の名刺情報記憶手段により記憶された名刺情報以外に、第１の端末装置から入力した名刺情報を電子メールに付加して、サーバ装置を介して、第２の端末装置に送信することができる。従って、第１の端末装置の利用者は、様々な状況に応じた名刺情報を、第２の端末装置の利用者に適宜提供することができる。
【００１５】
請求項５に記載の発明は、少なくとも１つずつの第１、第２の端末装置と通信回線を介して接続された、少なくとも１つのサーバ装置であって、前記サーバ装置は、第１の端末装置から送信された電子メールを受信する電子メール受信手段と、前記第１の端末装置の利用者の顔画像データを含む名刺情報を、前記名刺情報の配信先を指定する配信情報と関連付けて記憶する名刺情報記憶手段と、前記名刺情報記憶手段から、前記電子メール受信手段が受信した前記電子メールの送信先によって特定される前記名刺情報を抽出する名刺情報抽出手段と、前記電子メール受信手段が受信した前記電子メールに、前記名刺情報抽出手段により抽出された前記名刺情報を付加して、前記電子メールの送信先である第２の端末装置に送信する名刺付き電子メール送信手段と、を備えたことを特徴とするサーバ装置を提供する。
【００１６】
請求項６に記載の発明は、請求項５に記載のサーバ装置であって、さらに、前記第１の端末装置から送信された前記名刺情報と前記配信先情報を受信する名刺情報受信手段を備え、前記名刺情報記憶手段は、前記名刺情報受信手段により受信された前記名刺情報と前記配信先情報を関連付けて記憶することを特徴とするサーバ装置。
【発明の効果】
【００１７】
本発明によると、端末装置間で電子メールを送受信する場合に、電子メール送信者の所望の名刺情報を電子メール受信者に提供することができる。これにより、電子メールの送信者と受信者との間のコミュニケーションを活性化させることができる。
【発明を実施するための最良の形態】
【００１８】
以下、添付した図面を参照し本発明の好ましい実施の形態を説明する。
【００１９】
〔概略構成〕
図１は、本発明に係る名刺情報提供システムのブロック構成図である。
【００２０】
同図に示すように名刺情報提供システムは、音声、画像、電子メール等の送受信が可能な携帯電話機２Ａ、２Ｂと、携帯電話機２Ａ、２Ｂとそれぞれ無線で接続される無線基地局３Ａ、３Ｂと、携帯電話機２Ａ、２Ｂ間で送受信される電子メールのメールサーバ機能を備えるサーバ１と、を備えている。サーバ１と各無線基地局３Ａ、３Ｂは通信回線４を介して接続される。
【００２１】
本実施形態では、携帯電話機２Ａは電子メールの送信側であり、携帯電話機２Ｂは電子メールの受信側である。なお説明の便宜上、携帯電話機２Ａ、２Ｂを総称する場合は符号２で表し、無線基地局３Ａ、３Ｂを総称する場合は符号３で表す。また本例に示すように、サーバ１は１台に限定されるものでなく、複数台から構成されるものであってもよい。
【００２２】
図２は、携帯電話機２の機能ブロック図である。携帯電話機２は、カメラ部２０１、画像メモリ２０２、圧縮伸張部２０３、メモリ２０４、表示部２０５、プロトコル変換部２０６、無線通信部２０７、操作部２０８、制御部２０９を有している。なお、通常の携帯電話機として機能するためのマイクやスピーカ等も設けられているが、図２では省略している。
【００２３】
制御部２０９は、携帯電話機２の各回路ブロックと接続されており、テンキーなどの操作キーを含む操作部２０８から入力される指示信号に基づいて各ブロックを制御する。
【００２４】
操作部２０８に設けられたシャッターボタンが押下されると制御部２０９はカメラ部２０１に撮像の開始を指示し、カメラ部２０１はこれに応じて撮像を行う。カメラ部２０１は撮像された画像情報を画像データに変換して画像メモリ２０２に記憶する。
【００２５】
画像メモリ２０２に記憶された画像データは液晶画面等で構成された表示部２０５に表示できる。この画像データは圧縮伸張部２０３で圧縮処理されてメモリ２０４に記憶される。メモリ２０４に記憶された画像データは、プロトコル変換部２０６において宛先情報（例えばサーバ１のＩＰアドレス）や一意的な差出人情報（例えば携帯電話機２に一意的に割り当てられたユーザＩＤ）などをヘッダ情報に付加し、所定のプロトコルに従って無線通信部２０７に送られる。無線通信部２０７に送られた画像データは、アンテナ２１０から無線基地局３を介してサーバ１などに送信される。差出人情報はメモリ２０４の一態様であるＲＯＭに記憶されている。
【００２６】
携帯電話機２は、特定のＵＲＬ（Uniform Resource Locator）で指定されるサーバ１にアクセスしてＪａｖａ（登録商標）アプリケーション等の各種アプリケーションをサーバ１からダウンロードしてメモリ２０４に保存する機能を有する。制御部２０９は、メモリ２０４に保存したアプリケーションを実行する。
【００２７】
サーバ１からダウンロードされたアプリケーションは、一旦起動すると携帯電話機２の電源が入っている状態、すなわち動作中は、常に実行される常駐アプリケーションである。以下、このアプリケーションを待ち受けアプリケーションという。
【００２８】
待ち受けアプリケーションのダウンロードは、特定の携帯電話機２だけが行えるようにしてもよいし、どの携帯電話機２からダウンロードできるようにしてもよい。例えば、サーバ１に認証機能を設けておき、ユーザＩＤやパスワードなどで認証を受けた携帯電話機２だけが待ち受けアプリケーションをダウンロードできるようにしてもよい。
【００２９】
また、待ち受けアプリケーションのダウンロードの方法も任意である。例えばサーバ１が、待ち受けアプリケーションのダウンロードサイトとなるＵＲＬをハイパーリンクした電子メールを、上記の認証を受けた携帯電話機２に送信してもよい。この場合、電子メールを受信した携帯電話機２が、電子メールのハイパーリンクからサーバ１にアクセスして待ち受けアプリケーションをダウンロードすることができる。
【００３０】
本実施形態において、サーバ１から携帯電話機２に送信される待ち受けアプリケーションは、携帯電話機２の利用者の名刺情報をサーバ１にアップロードする機能と、電子メールを送受信する機能を備える。以下、この待ち受けアプリケーションを名刺アプリケーションという。
【００３１】
〔名刺情報配信テーブルの構成〕
図３は、名刺情報配信テーブルの構成の一例を表す概念説明図である。名刺情報配信テーブルはサーバ１に記憶されており、複数の電子メール送信側の携帯電話機２Ａ、２Ａ、・・・のそれぞれの利用者の名刺情報と、その名刺情報に対応付けられた配信情報から構成される。
【００３２】
名刺情報配信テーブルの名刺情報は、図３に示すように、携帯電話機２Ａの電子メールアドレス、利用者の氏名、電話番号、画像データ、テキストデータから構成される。画像データは、携帯電話機２Ａの利用者の顔画像である。なお名刺情報の構成要素は本例に限定されるものでなく、例えば、住所、ＦＡＸ番号、勤務先電話番号、自宅電話番号等を構成要素としてもよい。また画像データは顔画像に限定されるものでなく、携帯電話機２Ａの利用者によって任意に変更することが可能であり、例えば利用者の趣味、スポーツ等に関する画像等を画像データとしてもよい。
【００３３】
名刺情報の構成要素である電子メールアドレスは、名刺情報配信テーブルに登録されている複数の名刺情報の中から、電子メールを送信した携帯電話機２Ａの利用者の名刺情報を特定する固有ＩＤ（キー）として機能する。なお固有ＩＤは、本例のように電子メールアドレスに限定されるものでなく、携帯電話機２Ａの利用者の名刺情報を特定できるものであればよい。例えば、携帯電話機２Ａの電話番号や、携帯電話機２Ａに付与される固有の番号でよい。
【００３４】
また名刺情報配信テーブルの名刺情報は、携帯電話機２Ａの各利用者に対して、それぞれ複数種類登録することができる。従って、固有ＩＤである各電子メールアドレスに対して、電子メールアドレスを除く名刺情報が階層的に関連付けされている。
【００３５】
例えば図３の例では、電子メールアドレス「ｙａｍａｄａ＠×××．ｊｐ」で特定される名刺情報は１種類であるが、電子メールアドレス「ｓａｓａｋｉ＠×××．ｊｐ」で特定される名刺情報は２種類であり、電子メールアドレス「ｋａｔｏ＠×××．ｊｐ」で特定される名刺情報は３種類である。これにより、後述する配信情報との関連付けによって、電子メールの受信側の携帯電話機２Ｂの利用者に応じた名刺情報を、携帯電話機２Ｂに送信することができる。
【００３６】
各名刺情報にはそれぞれ、名刺情報の受信者を指定する情報である配信情報が関連付けられている。配信情報は、関連付けられた名刺情報の受信者の電子メールアドレスと氏名とから構成される。また１つの名刺情報に対して、複数の配信情報を登録することができる。例えば図３の例では、電子メールアドレス「ｙａｍａｄａ＠×××．ｊｐ」の名刺情報に対しては、「ｓａｔｏ＠×××．ｊｐ」，「ｓｕｚｕｋｉ＠×××．ｊｐ」，「ｔａｎａｋａ＠×××．ｊｐ」，「ｔａｋａｈａｓｈｉ＠×××．ｊｐ」をそれぞれ含む４つの配信情報が関連付けられている。なお配信情報の構成要素は本例に限定されるものでなく、例えば電話番号、住所、画像データ等を構成要素としてもよい。
【００３７】
携帯電話機２Ａの利用者の名刺情報と、その配信情報は、携帯電話機２Ａにダウンロードされた名刺アプリケーションから入力を行い、後述する名刺情報のアップロード処理によりサーバ１に記憶されている名刺情報配信テーブルに登録することができる。またサーバ１の入力手段（不図示）から直接名刺情報と配信情報の登録してもよい。
【００３８】
携帯電話機２Ａから携帯電話機２Ｂに対して電子メールが送信されると、前述のように構成された名刺情報配信テーブルが参照される。そして、電子メールの送信側である携帯電話機２Ａの電子メールアドレスと、電子メールの受信側である携帯電話機２Ｂの電子メールアドレスとによって、携帯電話機２Ｂに送信される携帯電話機２Ａの利用者の名刺情報が特定される。
【００３９】
例えば図３の例において、電子メールアドレス「ｓａｓａｋｉ＠×××．ｊｐ」の携帯電話機２Ａから、電子メールアドレス「ｈｉｒａｙａｍａ＠×××．ｊｐ」の携帯電話機２Ｂに対して電子メールが送信される場合、名刺情報として、電子メールアドレス「ｓａｓａｋｉ＠×××．ｊｐ」、氏名「佐々木△△」、電話番号「０X0-XXXX-XXX2」、画像データ「ｓａｓａｋｉ１．ｊｐｇ」、テキストデータ「ｓａｓａｋｉ１．ｔｘｔ」が特定される。そして、この名刺情報が、後述する電子メール送信処理によって、携帯電話機２Ｂに送信される。
【００４０】
〔名刺情報のアップロード処理〕
図４は、携帯電話機２Ａ（図１参照）から名刺情報をサーバ１にアップロードする処理（以下、アップロード処理という）を示したフローチャートである。名刺情報のアップロード処理は、携帯電話機２Ａの名刺アプリケーションによって、電子メールアドレス、氏名、電話番号、画像データ及びテキストデータを構成要素とする名刺情報と、その名刺情報の配信先を指定する配信情報をサーバ１に送信し、その名刺情報とその配信情報を、サーバ１に記憶されている名刺情報配信テーブルに登録する処理である。
【００４１】
Ｓ１では、携帯電話機２Ａは、通信回線４（図１参照）を介してサーバ１に対して、名刺アプリケーションの送信を要求する。Ｓ２では、サーバ１は、携帯電話機２Ａの送信要求に応じ、サーバ１に記憶されている名刺アプリケーションを携帯電話機２Ａに送信する。
【００４２】
Ｓ３では、携帯電話機２Ａは、受信した名刺アプリケーションを携帯電話機２Ａのメモリ２０４に保存し、携帯電話機２Ａの制御部２０９は、メモリ２０４の名刺アプリケーションを起動する。なお名刺アプリケーションの起動は受信終了とともに開始してもよいし、携帯電話機２Ａの操作部２０８の所定操作により開始してもよい。
【００４３】
Ｓ４では、携帯電話機２Ａの操作部２０８の所定操作によって、画像データやテキストデータ等から構成される名刺情報が作成され、名刺情報はメモリ２０４に記憶される。
【００４４】
Ｓ５では、名刺情報がメモリ２０４に記憶されたか否かを判断する。名刺情報がメモリ２０４に記憶された場合はＳ６へ移行し、記憶されない場合はＳ４へ戻る。
【００４５】
Ｓ６では、Ｓ４で作成された名刺情報の配信先となる配信情報の作成指示がなされる。携帯電話機２Ａの操作部２０８の所定操作によって、配信情報の構成要素である氏名及び電子メールアドレスが入力されると、その配信情報はメモリ２０４に記憶される。
【００４６】
Ｓ７では、配信情報がメモリ２０４に記憶されたか否かを判断する。配信情報がメモリ２０４に記憶された場合はＳ８へ移行し、記憶されない場合はＳ６へ戻る。
【００４７】
Ｓ８では、携帯電話機２Ａの制御部２０９は、メモリ２０４に記憶された名刺情報と配信情報をサーバ１に送信するように無線通信部２０７を制御する。そしてＳ９において、名刺情報と配信情報が、携帯電話機２Ａから携帯電話機２Ｂに対して送信される。
【００４８】
Ｓ１０では、サーバ１は、名刺情報配信テーブル（図３参照）に、携帯電話機２Ａから受信した名刺情報と配信情報を関連付けて登録する。
【００４９】
〔電子メール送信処理〕
図５は、携帯電話機２Ａから携帯電話機２Ｂに対して電子メールを送信する場合の処理（以下、電子メール送信処理という）を示したフローチャートである。本発明に係る電子メール送信処理は、携帯電話機２Ａから送信された電子メールに、受信側の携帯電話機２Ｂに応じた名刺情報を付加して、携帯電話機２Ｂに送信する処理である。
【００５０】
Ｓ１１では、携帯電話機２Ａは、サーバ１に対して、名刺アプリケーションの送信を要求する。Ｓ１２では、サーバ１は、名刺アプリケーションを携帯電話機２Ａに送信する。Ｓ１３では、携帯電話機２Ａは、受信した名刺アプリケーションを携帯電話機２Ａのメモリ２０４に保存し、携帯電話機２Ａの制御部２０９は、メモリ２０４の名刺アプリケーションを起動する。なお、Ｓ１１からＳ１３は、図４で示した〔名刺情報のアップロード処理〕のＳ１からＳ３と同様である。従って、名刺情報のアップロード処理を行うために、既に携帯電話機２Ａに名刺アプリケーションがサーバ１からダウンロードされている場合にはＳ１１及びＳ１２は行われず、また携帯電話機２Ａにダウンロードされた名刺アプリケーションが起動されている場合にはＳ１３は行われない。
【００５１】
Ｓ１４では、名刺情報を付加した電子メール（以下、名刺付き電子メールという）の作成を開始する所定のボタン操作（以下、名刺付き電子メール作成開始操作という）が操作部２０８に入力されたか否か判断する。名刺付き電子メール作成開始操作が操作部２０８に入力された場合はＳ１５に移行し、名刺付き電子メール作成開始操作が操作部２０８に入力されなかった場合はＳ１４に戻る。
【００５２】
Ｓ１５では、携帯電話機２Ａは、名刺付き電子メールの配信情報を送信するようにサーバ１に要求する。このとき携帯電話機２Ａの電子メールアドレスが付加されて、サーバ１に送信される。前述したとおり、サーバ１に記憶されている名刺情報配信テーブルの名刺情報の固有ＩＤは、携帯電話機２Ａの電子メールアドレスだからである。
【００５３】
Ｓ１６では、サーバ１は、携帯電話機２Ａからの送信要求に応じ、携帯電話機２Ａの電子メールアドレスに関連する配信情報を名刺情報配信テーブルから抽出する。Ｓ１７では、Ｓ１６で抽出された配信情報が携帯電話機２Ａに送信される。
【００５４】
図３の例において、電子メールアドレス「ｙａｍａｄａ＠×××．ｊｐ」の携帯電話機２Ａが、Ｓ１５における配信情報の送信要求をサーバ１に対して行った場合、Ｓ１６において、サーバ１は名刺情報配信情報テーブルから、電子メールアドレス「ｓａｔｏ＠×××．ｊｐ」、「ｓｕｚｕｋｉ＠×××．ｊｐ」、「ｔａｎａｋａ＠×××．ｊｐ」、「ｔａｋａｈａｓｈｉ＠×××．ｊｐ」をそれぞれ含む４つの配信情報が抽出される。そしてＳ１７において、これらの４つの配信情報が携帯電話機２Ａに送信される。
【００５５】
また電子メールアドレス「ｋａｔｏ＠×××．ｊｐ」の携帯電話機２Ａの場合は、３種類の名刺情報があるが、それぞれの名刺情報に関連付けられている配信情報が抽出される。すなわち、電子メールアドレス「ｓａｉｔｏ＠×××．ｊｐ」、「ｍｏｒｉ＠×××．ｊｐ」、「ｉｓｈｉｄａ＠×××．ｊｐ」をそれぞれ含む３つの配信情報が抽出される。
【００５６】
なおＳ１７において、サーバ１から携帯電話機２Ａに送信される配信情報は、その構成要素の全てである電子メールアドレスと氏名であってもよいし、またはその一部であってもよい。例えば、構成要素の一部である氏名のみを送信してもよい。この場合、携帯電話機２Ａとサーバ１との間の通信量を削減することができるので、送信時間の短縮、通信コストの低減等が可能となる。
【００５７】
Ｓ１８では、携帯電話機２Ａは、サーバ１から取得した配信情報をメモリ２０４に記憶する。そして携帯電話機２Ａの制御部２０９は、図６に示すような一覧形式で、配信情報の構成要素である氏名を表示部２０５に表示する。なお表示部２０５の表示形式、表示内容は本例に限定されるものでなく、携帯電話機２Ａの利用者が電子メールの送信先を指定できるものであればよい。例えばリスト形式で、配信情報の構成要素である電子メールアドレスを表示してもよい。
【００５８】
Ｓ１９では、携帯電話機２Ａは、表示部２０５に表示された氏名一覧の中から、電子メールを送信先とする氏名を１つ又は複数選択する操作を操作部２０８から受け付ける。そして選択された氏名をメモリ２０４に記憶する。
【００５９】
Ｓ２０では、電子メールの本文データの入力を操作部２０８から受け付け、入力された本文データをメモリ２０４に記憶する。
【００６０】
Ｓ２１では、Ｓ１９において選択された送信先に対して、サーバ１に記憶されている名刺情報配信テーブルの名刺情報とは別に、名刺情報を個別作成して送信するか否かを選択する操作を操作部２０８から受け付ける。名刺情報を個別作成する操作が選択された場合はＳ２２へ移行し、名刺情報を個別作成しない操作が選択された場合はＳ２３へ移行する。
【００６１】
Ｓ２２では、携帯電話機２Ａの操作部２０８の所定操作によって、個別作成された名刺情報は、メモリ２０４に記憶される。なおＳ２２において個別作成される名刺情報は、操作部２０８の所定操作による選択によって、その構成要素の全て又は一部であってもよい。例えば、名刺情報の構成要素の一部である画像データのみを入力してもよい。この場合、携帯電話機２Ａの利用者が名刺情報の全ての構成要素を入力する必要がなく、名刺情報を個別に作成する負担を軽減するとともに、電子メールを送信する状況に応じて最適な名刺情報を送信することができる。この結果、電子メールの送信者と受信者との間のコミュニケーションをより促進することができる。
【００６２】
Ｓ２３では、操作部２０８の所定操作によって、電子メールを送信する選択が行われると、携帯電話機２Ａの制御部２０９は電子メールをサーバ１に送信するように無線通信部２０７を制御する。電子メールには、送信元電子メールアドレス、送信先電子メールアドレス及び本文データが含まれる。すちわち、携帯電話機２Ａの電子メールアドレス、Ｓ１９においてメモリ２０４に記憶された配信情報の電子メールアドレス、Ｓ２０においてメモリ２０４に記憶された電子メールの本文データが含まれる。
【００６３】
またＳ２３では、Ｓ２２において個別に作成された名刺情報がメモリ２０４に記憶されている場合は、前述の電子メールとともに、その名刺情報をサーバ１に送信するように、制御部２０９は無線通信部２０７を制御する。
【００６４】
Ｓ２４では、電子メールが、Ｓ２３において個別作成された名刺情報が送信される場合はその名刺情報とともに、携帯電話機２Ａからサーバ１に送信される。
【００６５】
Ｓ２５では、サーバ１は、携帯電話機２Ａから受信する電子メールとともに、名刺情報を受信したか否かを判断する。名刺情報を受信しなかった場合はＳ２６へ移行し、名刺情報を受信した場合はＳ２７へ移行する。
【００６６】
Ｓ２６では、サーバ１は、名刺情報配信テーブルの中から、携帯電話機２Ａから受信した電子メールの送信元と送信先から特定される名刺情報を抽出する。なおＳ１９において複数の送信先が選択された場合は、各送信先に対応する名刺情報がそれぞれ抽出される。
【００６７】
Ｓ２７では、Ｓ２５において名刺情報を受信していないと判断した場合には、サーバ１は、Ｓ２６で抽出された名刺情報を付加して、携帯電話機２Ａから受信した電子メールとともに、携帯電話機２Ｂに送信する。
【００６８】
一方、Ｓ２５において名刺情報を受信していると判断した場合には、サーバ１は、携帯電話機２Ａから受信した電子メールと名刺情報を、携帯電話機２Ｂに送信する。
【００６９】
なおＳ２２において個別作成される名刺情報が構成要素の一部のみである場合、例えば画像データのみである場合には、それ以外の構成要素である氏名や電話番号等は名刺情報配信テーブルから抽出して補うようにしてもよい。名刺情報の個別作成の負担を軽減し、より一層の利用促進を図ることができる。
【００７０】
Ｓ２８では、携帯電話機２Ｂは、サーバ１に対して、名刺アプリケーションの送信を要求する。Ｓ２９では、サーバ１は、名刺アプリケーションを携帯電話機２Ｂに送信する。Ｓ３０では、携帯電話機２Ｂは、受信した名刺アプリケーションを携帯電話機２Ｂのメモリ２０４に保存し、携帯電話機２Ｂの制御部２０９は、メモリ２０４の名刺アプリケーションを起動する。なお、既に携帯電話機２Ｂに名刺アプリケーションがダウンロードされている場合、また名刺アプリケーションが起動されている場合は、Ｓ１１からＳ１３の処理と同様に、Ｓ２８からＳ３０のうち該当する処理は行わない。
【００７１】
Ｓ３１では、電子メールと名刺情報が、サーバ１から携帯電話機２Ｂに送信される。電子メールの送信先が複数の場合には、各送信先に対応する名刺情報がそれぞれ携帯電話機２Ｂ、２Ｂ、・・・に送信される。
【００７２】
Ｓ３２では、携帯電話機２Ｂは、電子メールと名刺情報を受信し、メモリ２０４に記憶する。そして携帯電話機２Ｂの制御部２０９は、その電子メールと名刺情報とから、表示部２０５に表示する画像を形成する。
【００７３】
図７（ａ）、（ｂ）は、電子メールを受信した携帯電話機２Ｂの表示内容の一例を示す。図７（ａ）は、電子メールの送信側の携帯電話機２Ａの利用者の名刺情報を表示する名刺情報表示モードを示す。図７（ｂ）は、電子メールの本文データを表示するメール表示モードを示す。
【００７４】
Ｓ３３において、携帯電話機２Ｂの表示部２０５は、名刺情報表示モードとなる。すなわち、図７（ａ）に示すように、携帯電話機２Ｂの表示部２０５の略中央部上方に、電子メールの送信者の画像データ（写真）が表示され、その下方に送信者の氏名、電話番号、電子メールアドレスが表示される。
【００７５】
表示部２０５に表示された電話番号や電子メールアドレスはハイパーリンクされている。操作部２０８の所定操作によって、これらの電話番号や電子メールアドレスが選択されると、携帯電話機２Ｂの利用者は、電子メールの送信側である携帯電話機２Ａの利用者と通話を開始できたり、携帯電話機２Ａの利用者に対して電子メールを返信することができる。
【００７６】
また操作部２０８の所定操作によって、表示部２０５をメール表示モードに切替える選択が行われると、図７（ｂ）に示すように、電子メールの送信者の名刺情報に含まれる画像データを表示するとともに、その画像データに重ねて電子メールの本文データが、表示部２０５に表示される。
【００７７】
さらに操作部２０８の所定操作によって、表示部２０５を名刺情報表示モードの切替える選択が行われると、図７（ａ）に示す内容を再び表示することができる。
【００７８】
携帯電話機２Ｂは、操作部２０８の所定操作によって、表示部２０５の名刺情報表示モード又は電子メール表示モードを終了する。
【図面の簡単な説明】
【００７９】
【図１】本発明に係る名刺情報提供メールシステムのブロック構成図である。
【図２】携帯電話機２の機能ブロック図である。
【図３】名刺情報配信テーブルの構成の一例を表す概念説明図である。
【図４】携帯電話機から名刺情報をサーバへのアップロード処理を示したフローチャートである。
【図５】名刺付き電子メールの送信処理を示したフローチャートである。
【図６】配信情報を受信した携帯電話機の表示部の表示例である。
【図７】名刺付き電子メールを受信した携帯電話機の表示部の表示例である。
【符号の説明】
【００８０】
１…サーバ、２、２Ａ、２Ｂ…携帯電話機、３、３Ａ、３Ｂ…無線基地局、４…通信回線
【図１】
2005309892.tif 000003
【図２】
2005309892.tif 000004
【図３】
2005309892.tif 000005
【図４】
2005309892.tif 000006
【図５】
2005309892.tif 000007
【図６】
2005309892.tif 000008
【図７】
2005309892.tif 000009